(57)【要約】【課題】奥行きが小さく，設置箇所の変更が容易であり，外観意匠性に優れ，観察者の目に０次光が入り難いホログラムディスプレイ装置を提供すること。【解決手段】映像光２１を投射する映像投射装置２と，映像投射装置２から投射された映像光２１を背面側から入射させ，散乱して前方にいる観察者側に出射させることにより映像を表示する透過型ホログラムスクリーン３とによって構成されるホログラムディスプレイ装置１。ホログラムディスプレイ装置１は，透過型ホログラムスクリーン３を支持する支持体４と，支持体４を固定すると共に映像投射装置２を載置した台座５とを有する。支持体４は，水平面に対して傾斜して配置された透明な透明傾斜板部４１を有し，透明傾斜板部４１に透過型ホログラムスクリーン３を配設してなる。透過型ホログラムスクリーン３には，映像光２１が下方から投射されるよう構成されている。【選択図】  図１
2005010226.tif 000002
【特許請求の範囲】
【請求項１】
映像光を投射する映像投射装置と，該映像投射装置から投射された映像光を背面側から入射させ，散乱して前方にいる観察者側に出射させることにより映像を表示する透過型ホログラムスクリーンとによって構成されるホログラムディスプレイ装置であって，
該ホログラムディスプレイ装置は，上記透過型ホログラムスクリーンを支持する支持体と，該支持体を固定すると共に上記映像投射装置を載置した台座とを有し，
上記支持体は，水平面に対して傾斜して配置された透明な透明傾斜板部を有し，該透明傾斜板部に上記透過型ホログラムスクリーンを配設してなり，
該透過型ホログラムスクリーンには，上記映像光が下方から投射されるよう構成されていることを特徴とするホログラムディスプレイ装置。
【請求項２】
請求項１において，上記映像投射装置は，その投射レンズを観察者と反対側に向けた状態で略水平に配置されており，上記投射レンズの前方には上記映像光を上方へ反射する表面鏡が配置され，上記映像投射装置から投射された上記映像光は上記表面鏡を介して上記透過型ホログラムスクリーンに入射するよう構成されていることを特徴とするホログラムディスプレイ装置。
【請求項３】
請求項２において，上記表面鏡の配設枚数は１枚であることを特徴とするホログラムディスプレイ装置。
【請求項４】
請求項１〜３のいずれか１項において，上記支持体は，上記台座の観察者側の前端から略垂直に立ち上げられた立設部と，該立設部の上端から観察者側と反対側に屈曲して傾斜した上記透明傾斜板部とからなることを特徴とするホログラムディスプレイ装置。
【請求項５】
請求項１〜４のいずれか１項において，上記透明傾斜板部の下辺は，上記ホログラムディスプレイ装置を設置した床面から７００ｍｍ以上の高さに配置されるよう構成してあることを特徴とするホログラムディスプレイ装置。
【請求項６】
請求項１〜５のいずれか１項において，上記透明傾斜板部の上辺は，上記ホログラムディスプレイ装置を設置した床面から１３５０ｍｍ以下の高さに配置されるよう構成してあることを特徴とするホログラムディスプレイ装置。
【請求項７】
請求項１〜６のいずれか１項において，上記透過型ホログラムスクリーンは，水平面に対する傾斜角度が１５〜５０°であり，かつ，入射する上記映像光の投射角度が２０〜５０°であることを特徴とするホログラムディスプレイ装置。
【請求項８】
請求項１〜７のいずれか１項において，上記支持体は，全体が透明な基材によって形成されていることを特徴とするホログラムディスプレイ装置。
【請求項９】
請求項１〜８のいずれか１項において，上記台座は，該台座に載置した上記映像投射装置を含む機器が外部から見えないように覆うカバーを設けてなり，かつ，該カバーの上面には，上記映像光を通すための開口窓を設けてあることを特徴とするホログラムディスプレイ装置。
【請求項１０】
請求項９において，上記台座の上記カバーは，上記映像投写装置の熱風排出部に対向する部分に，上記カバーの内側から外側へ空気を排出する冷却ファンを配設してなることを特徴とするホログラムディスプレイ装置。
【請求項１１】
請求項１〜１０のいずれか１項において，上記台座には，観察者を感知するセンサーが配置され，該センサーが，上記ホログラムディスプレイ装置の略正面における所定の位置に観察者を感知したとき，表示する映像を切り替えるよう構成してなることを特徴とするホログラムディスプレイ装置。
【請求項１２】
請求項１〜１１のいずれか１項において，上記台座の下側には，移動用の台車が取付けられていることを特徴とするホログラムディスプレイ装置。
【発明の詳細な説明】
【０００１】
【技術分野】
本発明は，企業の受付やショールーム等に設置可能な静止画や動画等の映像を表示するホログラムディスプレイ装置に関する。
【０００２】
【従来技術】
近年，企業の受付やショールーム等において，来場者等に対して各種情報を提示する手段として，プラズマディスプレイ，液晶ディスプレイ，プロジェクションテレビ等が採用されている。
しかしながら，それらの装置は不透明であり，例えば展示物等の前に設置して情報等を提供しようとすると，その展示物が隠れてしまい，観察者は展示物の情報と展示物とを同時に見ることができない。そのため，通常は展示物の後方の壁などに設置して使用されることが多い。
【０００３】
そこで，展示物の前に設置できるディスプレイとして，図１４に示すごとく，透明な透過型ホログラムスクリーン９１と映像投射装置９２とから構成されるディスプレイ装置９が，特許文献１において提案されている。
上記透過型ホログラムスクリーン９１は，透明性を有する薄膜状のホログラム素子を透明基板等に貼付する等して構成したスクリーンである。上記ホログラム素子は干渉縞が記録されており，該干渉縞に対し映像光９２１が投射されると，ここにおいて映像光９２１が回折・散乱され，ホログラム素子上にて映像光９２１が再生され，映像として鑑賞することができる。
【０００４】
また，該透過型ホログラムスクリーン９１は透明であるため背景の展示物９４を隠さない。通常は映像投射装置９２を天井９３に設置し，展示物９４の前に設置された透過型ホログラムスクリーン９１に映像を投射して使用する。
しかし，映像投射装置９２を天井９３に設置することは，施工費が高いという問題や，一度設置すると移動できないという問題を招く。
【０００５】
そこで，このような問題を解消するために，図１５，図１６に示すごとく，透明な透過型ホログラムスクリーン８１と映像投射装置８２とを一体化して構成した一体型ディスプレイ装置８が，特許文献１において提案されている。
該一体型ディスプレイ装置８は，透過型ホログラムスクリーン８１と映像投射装置８２との間に表面鏡を２枚設置してなる。即ち，上記一体型ディスプレイ装置は，基台８３に設置された映像投射装置８２と，基台８３に立設された支柱８３１に支承された透過型ホログラムスクリーン８１と，支柱８３２，８３３にそれぞれ支承された第１表面鏡８４１と，第２表面鏡８４２とよりなる。
【０００６】
【特許文献１】
特開２０００−３９６７２号公報（図１，図１１等）
【０００７】
【解決しようとする課題】
しかしながら，上記従来の一体型ディスプレイ装置８は，表面鏡を２枚用いて映像投射装置８２からの映像光２１を折り返すことにより装置の奥行きの狭小化を図っているものの，なお奥行きがあり設置スペースを大きくとる必要があり，設置上の自由度を充分確保することができないという問題がある。
【０００８】
また，第１表面鏡８４１と第２表面鏡８４２とを大きくする必要があり，これらが外見上目立ち，外観意匠性を損ねる原因にもなるおそれがある。更に，垂直方向に立設したスクリーンは，観察者の目線高さに配置されることとなるが，そのために観察者に圧迫感を与えるおそれもある。
また，スクリーンが透明であると共に垂直方向に立設されているがゆえに，透過型ホログラムスクリーン８１を直進透過する映像光２１である０次光が観察者の目に入り，観察者が眩しさを感じるといった問題もある。
【０００９】
本発明は，かかる従来の問題点に鑑みてなされたもので，奥行きが小さく，設置箇所の変更が容易であり，外観意匠性に優れ，かつ観察者の目に０次光が入り難いホログラムディスプレイ装置を提供しようとするものである。
【００１０】
【課題の解決手段】
本発明は，映像光を投射する映像投射装置と，該映像投射装置から投射された映像光を背面側から入射させ，散乱して前方にいる観察者側に出射させることにより映像を表示する透過型ホログラムスクリーンとによって構成されるホログラムディスプレイ装置であって，
該ホログラムディスプレイ装置は，上記透過型ホログラムスクリーンを支持する支持体と，該支持体を固定すると共に上記映像投射装置を載置した台座とを有し，
上記支持体は，水平面に対して傾斜して配置された透明な透明傾斜板部を有し，該透明傾斜板部に上記透過型ホログラムスクリーンを配設してなり，
該透過型ホログラムスクリーンには，上記映像光が下方から投射されるよう構成されていることを特徴とするホログラムディスプレイ装置にある（請求項１）。
【００１１】
次に，本発明の作用効果につき説明する。
上記ホログラムディスプレイ装置においては，上記透過型ホログラムスクリーンを配置した上記透明傾斜板部が，水平面に対して傾斜している。そして，上記透過型ホログラムスクリーンには，映像光が下方から投射されるよう構成されている。
【００１２】
これにより，上記映像光を後方から投射する必要がなく，映像投射装置と上記透過型ホログラムスクリーンとの前後方向の距離を確保する必要がない。そのため，上記ホログラムディスプレイ装置の奥行きを容易に小さくすることができ，コンパクト化が容易となる。
【００１３】
また，上記ホログラムディスプレイ装置は，上記透過型ホログラムスクリーンと上記映像投射装置とが一体化されていると共に，上記のごとくコンパクト化が容易である。それ故，上記ホログラムディスプレイ装置は，容易に移動させることができ，設置箇所の変更を容易に行うことができる。
【００１４】
また，上記透明傾斜板部は透明であり，透過型ホログラムスクリーンも透明であるため，上記ホログラムディスプレイ装置の背後における展示物等を隠すことがなく，外観意匠性にも優れている。
【００１５】
また，上記映像光は，上記透過型ホログラムスクリーンに，下方から投射される。そのため，上記透過型ホログラムスクリーンにおいて散乱することなく直進する映像光である０次光は，上方へ向かって透過することとなる。一方，上記透過型ホログラムスクリーンを観察する観察者の位置は，上記ホログラムディスプレイ装置の前方であるため，上記０次光は，観察者の目に入り難く，観察者が眩しさを感じるといった不具合を防止することができる。
【００１６】
以上のごとく，本発明によれば，奥行きが小さく，設置箇所の変更が容易であり，外観意匠性に優れ，かつ観察者の目に０次光が入り難いホログラムディスプレイ装置を提供することができる。
【００１７】
【発明の実施の形態】
本発明（請求項１）において，上記ホログラムディスプレイ装置は，例えば，企業の受付やショールーム等に設置され，静止画や動画等の映像を表示するものとすることができる。
上記透過型ホログラムスクリーンの中心に投射される映像光の向きは，例えば鉛直方向に対し±２０°以下であることが好ましい。
【００１８】
また，上記映像投射装置は，その投射レンズを観察者と反対側に向けた状態で略水平に配置されており，上記投射レンズの前方には上記映像光を上方へ反射する表面鏡が配置され，上記映像投射装置から投射された上記映像光は上記表面鏡を介して上記透過型ホログラムスクリーンに入射するよう構成されていることが好ましい（請求項２）。
この場合には，上記ホログラムディスプレイ装置の奥行きを容易に小さくすることができると共に，上記台座の高さを容易に小さくすることができる。そのため，ホログラムディスプレイ装置の外観意匠性を向上させることもできる。
また，上記映像投射装置は略水平に配置されていることにより，該映像投射装置の耐久性を確保することができる。即ち，例えば，上記映像投射装置を，上記投射レンズを上方に向けて略垂直に配置すると，上記映像投射装置の内部温度上昇やランプの温度分布が不均一になることより，ランプ寿命が極端に短くなる，あるいは破裂する等の不具合が生じやすいが，略水平に配置することにより，かかる問題を防止することができる。
【００１９】
また，上記表面鏡の配設枚数は１枚であることが好ましい（請求項３）。
この場合には，上記ホログラムディスプレイ装置をより簡単な構造とすることができ，より一層のコンパクト化が可能となる。
また，上記表面鏡は，例えば上記投射レンズの前方５０ｍｍ以下の位置に配置することが好ましい。これにより，表面鏡の大きさを小さくすることができると共に，ホログラムディスプレイ装置の奥行きを小さくすることができ，該ホログラムディスプレイ装置の更なるコンパクト化を図ることができる。
【００２０】
また，上記支持体は，上記台座の観察者側の前端から略垂直に立ち上げられた立設部と，該立設部の上端から観察者側と反対側に屈曲して傾斜した上記透明傾斜板部とからなることが好ましい（請求項４）。
この場合には，観察者の見やすい位置に上記透過型ホログラムスクリーンを設けた透明傾斜板部を配置することができる。また，ホログラムディスプレイ装置の奥行きをより小さくすることができる。
【００２１】
また，上記透過型ホログラムスクリーンが上記台座から大きく離れた位置に配置されるため，映像が映し出されたときの不思議感が増し，外観意匠性も向上する。
また，上記立設部の上端は上記台座の上面から５００ｍｍ以上の高さに配置されていることがより好ましい。
【００２２】
また，上記透明傾斜板部の下辺は，上記ホログラムディスプレイ装置を設置した床面から７００ｍｍ以上の高さに配置されるよう構成してあることが好ましい（請求項５）。
この場合には，より一層，上記透過型ホログラムスクリーンを，映像の視認しやすい高さに配置することができる。
【００２３】
また，上記透明傾斜板部の上辺は，上記ホログラムディスプレイ装置を設置した床面から１３５０ｍｍ以下の高さに配置されるよう構成してあることが好ましい（請求項６）。
この場合には，上記ホログラムディスプレイ装置を企業の受付やショールーム等に設置した場合に，該ホログラムディスプレイ装置が来客者の良好な前方視界を妨げることがなく，屋内の景観等を損なうおそれがない。
【００２４】
即ち，日本人の成人の目線高さは，１３５０〜１６６０ｍｍがその９０％を占めるという統計があるため，透明傾斜板部の上辺の床面からの高さを１３５０ｍｍ以下とすることにより，殆どの日本人の成人の前方視界を遮ることがないこととなる。
一方，上記透明傾斜板部の上辺の床面からの高さが１３５０ｍｍを超えると，上記透過型ホログラムスクリーンが透明ではあっても，来客者の良好な前方視界を妨げ，屋内の景観を損なうおそれがある。
【００２５】
また，上記透過型ホログラムスクリーンは，水平面に対する傾斜角度が１５〜５０°であり，かつ，入射する上記映像光の投射角度が２０〜５０°であることが好ましい（請求項７）。
この場合には，一層０次光を観察者の目に入り難くすると共に正確な映像を映し出すことができ，かつ，映像を観察しやすいホログラムディスプレイ装置を得ることができる。
【００２６】
上記映像光の投射角度が２０°未満の場合には，０次光が観察者の目に入ることを防ぐことが困難となるおそれがある。一方，上記投射角度が５０°を超える場合には，透過型ホログラムスクリーンに映し出される映像が歪み，正確な映像を映し出すことが困難となるおそれがある。
【００２７】
また，上記透過型ホログラムスクリーンの水平面に対する傾斜角度を１５〜５０°とするのが好ましい理由としては，上記投射角度範囲，及び上記透明傾斜板部の上辺及び下辺の高さ範囲を踏まえつつ，日本工業規格ＪＩＳ  Ｚ  ８５１３に記載の映像表示装置に求められる事項を満足させる範囲であることである。詳細については，実施例１において説明する。
【００２８】
また，上記支持体は，全体が透明な基材によって形成されていることが好ましい（請求項８）。
この場合には，上記ホログラムディスプレイ装置が背景を遮る範囲をより少なくすることができる。また，上記支持体全体が透明であるために，より外観意匠性に優れたホログラムディスプレイ装置を得ることができる。
【００２９】
また，上記台座は，該台座に載置した上記映像投射装置を含む機器が外部から見えないように覆うカバーを設けてなり，かつ，該カバーの上面には，上記映像光を通すための開口窓を設けてあることが好ましい（請求項９）。
この場合には，上記台座に載置した機器が外観上見えなくなり，ホログラムディスプレイ装置の外観意匠性を一層向上させることができる。また，上記カバーは上記開口窓を有するため，映像光を確実に透過型ホログラムスクリーンに投射することができ，映像を確実に映し出すことができる。
【００３０】
また，上記カバーは，上記開口窓を覆う透明ガラス等の透明部材を配設することが好ましい。この場合には，上記開口窓からカバーの内部に埃等が入ることを防ぐことができる。それ故，映像投射装置の投射レンズや表面鏡等に埃等が付着することを防ぎ，映像品位や映像輝度の低下を防ぐことができる。
【００３１】
また，上記台座の上記カバーは，上記映像投写装置の熱風排出部に対向する部分に，上記カバーの内側から外側へ空気を排出する冷却ファンを配設してなることが好ましい（請求項１０）。
この場合には，上記映像投射装置の冷却を充分に行うことができ，該映像投射装置の耐久性を確保することができ，ひいては，ホログラムディスプレイ装置の耐久性を確保することができる。また，上記冷却ファンは，カバーの内側から外側へ空気を排出するため，冷却ファンの部分からカバーの内部に埃等が入り込むことを防ぐこともできる。
【００３２】
また，上記台座には，観察者を感知するセンサーが配置され，該センサーが，上記ホログラムディスプレイ装置の略正面における所定の位置に観察者を感知したとき，表示する映像を切り替えるよう構成してなることが好ましい（請求項１１）。
この場合には，適宜状況に応じた映像を観察者に提供することができるホログラムディスプレイ装置を得ることができる。
【００３３】
また，上記台座の下側には，移動用の台車が取付けられていることが好ましい（請求項１２）。
この場合には，ホログラムディスプレイ装置の設置箇所の変更を，一層容易に行うことができる。
【００３４】
【実施例】
（実施例１）
本発明の実施例にかかるホログラムディスプレイ装置につき，図１〜図１１を用いて説明する。
上記ホログラムディスプレイ装置１は，図１，図２に示すごとく，映像光２１を投射する映像投射装置２と，該映像投射装置２から投射された映像光２１を背面３３側から入射させ，散乱して前方にいる観察者側（図１，図３の矢印ｅ）に出射させることにより映像を表示する透過型ホログラムスクリーン３とによって構成される。
【００３５】
該ホログラムディスプレイ装置１は，上記透過型ホログラムスクリーン３を支持する支持体４と，該支持体４を固定すると共に上記映像投射装置２を載置した台座５とを有する。
上記支持体４は，水平面に対して傾斜して配置された透明な透明傾斜板部４１を有し，該透明傾斜板部４１に上記透過型ホログラムスクリーン３を配設してなる。
該透過型ホログラムスクリーン３には，上記映像光２１が下方から投射されるよう構成されている。
【００３６】
上記ホログラムディスプレイ装置１は，図２に示すごとく，ショールーム等に設置され，静止画や動画等の映像を表示することができる。
また，図１，図３に示すごとく，上記映像投射装置２は，その投射レンズ２２を観察者側（図１，図３の矢印ｅ）と反対側に向けた状態で略水平に配置されている。また，上記投射レンズ２２の前方には映像光２１を上方へ反射する表面鏡１１が配置されている。そして，上記映像投射装置２から投射された映像光２１は上記表面鏡１１を介して上記透過型ホログラムスクリーン３に入射するよう構成されている。
【００３７】
また，上記表面鏡１１の配設枚数は１枚であり，上記投射レンズ２２の前方約５０ｍｍの位置に配置されている。
また，上記支持体４は，上記台座５の観察者側（矢印ｅ）の前端５１から略垂直に立ち上げられた立設部４２と，該立設部４２の上端４２１から観察者側（矢印ｅ）と反対側に屈曲して傾斜した上記透明傾斜板部４１とからなる。
そして，該透明傾斜板部４１の裏側面４１３に接着材にて上記透過型ホログラムスクリーン３を貼付してある。なお，該透過型ホログラムスクリーン３を上記透明傾斜板部４１の表側面４１４に貼付することもできる。
【００３８】
また，上記透明傾斜板部４１の下辺４１１は，上記ホログラムディスプレイ装置１を設置した床面６１から７００ｍｍ以上の高さに配置されるよう構成してある。そして，上記透明傾斜板部４１は，後述する台座５のカバー５２の上面が５００ｍｍ以上の高さに形成されている。
また，上記透明傾斜板部４１の上辺４１２は，上記ホログラムディスプレイ装置１を設置した床面６１から１３５０ｍｍ以下の高さに配置されるよう構成してある。
【００３９】
また，上記透過型ホログラムスクリーン３は，水平面に対する傾斜角度θが１５〜５０°であり，かつ，入射する上記映像光２１の投射角度が２０〜５０°である。即ち，図１において，２０°≦α１，α２≦５０°である。
また，上記支持体４は，全体が透明な基材によって形成されている。具体的には，上記支持体４は無色透明のアクリル板を所定の折り曲げラインにおいて４０〜７５°の角度で折り曲げることによって形成されている。
【００４０】
また，上記台座５は，該台座５に載置した上記映像投射装置２を含む機器が外部から見えないように覆うカバー５２を設けてなる。該カバー５２の上面には，上記映像光２１を通すための開口窓５２１を設けてある。該開口窓５２１は，透明ガラス５２２によって塞がれている。該透明ガラス５２２には，ハーフミラーフィルム或いは視界制御フィルムを貼着してもよい。これにより，開口窓５２１からも上記カバー５２の内部が外から見えず，映像投射装置２等の機器の存在が分からないため，外観意匠性が向上すると共に，不思議感が増す。
【００４１】
また，上記台座５の上記カバー５２は，上記映像投写装置２の熱風排出部２３に対向する部分に，上記カバー５２の内側から外側へ空気を排出する冷却ファン５３を配設してなる。
また，図３に示すごとく，上記台座５には，上記映像投射装置２，上記表面鏡１１，上記冷却ファン５３の他に，映像を映像投射装置２に出力する映像出力機器１３，観察者を感知するセンサー１２，該センサー１２からの信号を上記映像出力機器１３において認知できる信号に変換するデジタル入出力モジュール１４が配置されている。
【００４２】
上記映像出力機器２として，本例においてはパソコンを用いたが，その他として，ＤＶＤプレーヤー，ビデオデッキ，ビデオＣＤプレーヤー等を用いることもできる。
また，上記映像投射装置２として，本例においてはＮＥＣ製液晶プロジェクターＬＴ１５０ＺＪを使用したが，その他としてスライドプロジェクターを用いることもできる。
【００４３】
また，上述のごとく，上記台座５には，観察者Ｅを感知するセンサー１２が配置されている。そして，図４に示すごとく，該センサー１２が，上記ホログラムディスプレイ装置１の略正面における所定の位置Ｄに観察者Ｅを感知したとき，図５，図６に示すごとく，表示する映像を切り替えるよう構成してある。上記センサー１２としては，光電センサーを用いることができる。
また，上記所定の位置Ｄとは，例えばホログラムディスプレイ装置１の前方５００ｍｍ以内の位置をいう。
【００４４】
上記センサー１２が観察者Ｅを感知していないときは，上記ホログラムディスプレイ装置１は，例えば図５に示すような熱帯魚などの癒し映像を映し出している。
そして，図４に示すごとく，観察者Ｅが上記所定の位置Ｄに来たとき，上記センサー１２がこれを感知し，図３に示すデジタル入出力モジュール１４に信号を入力する。該デジタル入出力モジュール１４は，入力された信号を変換して上記映像出力機器１３へ出力する。これにより，上記映像出力機器１３は，映像投射装置２へ出力する映像情報を切り替えて，例えば図６に示すような展示物６２に関する映像を投射させる。
【００４５】
上記透過型ホログラムスクリーン３の製作に当っては，すりガラス等の光拡散体を通した拡散光を物体光，非拡散光を参照光として，これらの光を感光部材に投射し，干渉縞を形成する方法を用いることができる。以下に製作の一例について，図７を用いて説明する。
【００４６】
図７に示すように，レーザー光源７１から放射されたコヒーレントな光７４をミラー７１１で光路変更した後，ハーフミラー７１２により２つの光７４１，７４２に分割する。そして，一方の光７４１をレンズ７１３で発散したのち，光拡散体７２を透過させ，得られた拡散光を物体光７３として感光部材７５に投射する。
【００４７】
また，ハーフミラー７１２で分割された他方の光７４２は，ミラー７１５，７１６で光路変更した後，レンズ７１４で発散されて参照光７６として感光部材７５に投射される。そして，上記参照光７６と物体光７３により感光部材７５に干渉縞が形成される。
以上により，上記拡散体７２を記録した透過型ホログラムスクリーン３を得る。
【００４８】
次に，本例の作用効果につき説明する。
上記ホログラムディスプレイ装置１においては，透過型ホログラムスクリーン３を配設した透明傾斜板部４１が，水平面に対して傾斜している。そして，上記透過型ホログラムスクリーン３には，映像光２１が下方から投射されるよう構成されている。
【００４９】
これにより，上記映像光２１を図８に示すように後方から投射する必要がなく，映像投射装置２と上記透過型ホログラムスクリーン３との前後方向の距離を確保する必要がない。そのため，上記ホログラムディスプレイ装置１の奥行きを容易に小さくすることができ，コンパクト化が容易となる。
【００５０】
即ち，従来のように，透過型ホログラムスクリーン３を垂直に配置した場合，図８に示すごとく，該透過型ホログラムスクリーン３へは，映像光２１を斜め後方の大きく離れた位置から投射する必要がある。所定の入射角度α及び投射距離Ｌを確保するためである。そして，これを実現するためには，映像投射装置２を上記透過型ホログラムスクリーン３から大きく後方に離れた位置に配設する必要がある。そうすると，ホログラムディスプレイ装置の奥行きが必然的に大きくなり，コンパクト化は困難となる。
ここで，投射距離とは，映像投射装置２の投射レンズ２２から透過型ホログラムスクリーン３の中心３５までの距離をいう。
【００５１】
これに対し，本発明においては，図９，図１０に示すごとく，透過型ホログラムスクリーン３を水平面に対して斜めに配置することにより，所定の入射角度α，投射距離Ｌを確保しつつ，略真下から映像光２１を投射することができる。即ち，上記透過型ホログラムスクリーン３の中心３５に投射される映像光２１が鉛直方向に対して±２０°以下となるようにすることができる。
【００５２】
それ故，上記映像投射装置２を上記透過型ホログラムスクリーン３の略真下に配置することができ，ホログラムディスプレイ装置１の奥行きを小さくすることができる。なお，本例においては，上述したごとく，映像投射装置２を水平に配置した図１０の構成をとる。また，図１０に示した，表面鏡１１と透過型ホログラムスクリーン３との距離Ｌ１，映像投射装置２と表面鏡１１との距離Ｌ２は，上記投射距離Ｌとの間において，Ｌ１＋Ｌ２＝Ｌの関係を有する。
【００５３】
また，上記ホログラムディスプレイ装置１は，上記透過型ホログラムスクリーン３と上記映像投射装置２とが一体化されていると共に，上記のごとくコンパクト化が容易である。それ故，上記ホログラムディスプレイ装置１は，容易に移動させることができ，設置箇所の変更を容易に行うことができる。
【００５４】
また，上記透明傾斜板部４１は透明であり，透過型ホログラムスクリーン３も透明であるため，上記ホログラムディスプレイ装置１の背後における展示物６２等を隠すことがなく，外観意匠性にも優れている。
【００５５】
また，上記映像光２１は，上記透過型ホログラムスクリーン３に，下方から投射される。そのため，図４に示すごとく，上記透過型ホログラムスクリーン３において散乱することなく直進する映像光２１である０次光２１０は，上方へ向かって透過することとなる。一方，上記透過型ホログラムスクリーン３を観察する観察者Ｅの位置は，上記ホログラムディスプレイ装置１の前方であるため，上記０次光２１０は，観察者Ｅの目に入り難く，観察者Ｅが眩しさを感じるといった不具合を防止することができる。
【００５６】
また，図１，図３に示すごとく，上記映像投射装置２は，その投射レンズ２２を観察者側（矢印ｅ）と反対側に向けた状態で略水平に配置されており，上記投射レンズ２２の前方に表面鏡１１が配置されている。そして，上記映像投射装置２から投射された映像光２１は表面鏡１１を介して透過型ホログラムスクリーン３に入射するよう構成されている。
そのため，上記ホログラムディスプレイ装置１の奥行きを容易に小さくすることができると共に，上記台座５の高さを容易に小さくすることができる。そのため，ホログラムディスプレイ装置１の外観意匠性を向上させることもできる。
【００５７】
また，上記映像投射装置２は略水平に配置されていることにより，該映像投射装置２の耐久性を確保することができる。
また，上記表面鏡１１の配設枚数は１枚であるため，上記ホログラムディスプレイ装置１をより簡単な構造とすることができ，より一層のコンパクト化が可能となる。
また，上記表面鏡１１は，上記投射レンズ２２の前方約５０ｍｍの位置という近距離に配置しているため，表面鏡１１の大きさを小さくすることができると共に，ホログラムディスプレイ装置１の奥行きを小さくすることができ，該ホログラムディスプレイ装置１の更なるコンパクト化を図ることができる。
【００５８】
また，図１，図２に示すごとく，上記支持体４は，上記立設部４２と上記透明傾斜板部４１とからなるため，観察者Ｅの見やすい位置に上記透過型ホログラムスクリーン３を設けた透明傾斜板部４２を配置することができる。また，ホログラムディスプレイ装置１の奥行きをより小さくすることができる。
また，上記透過型ホログラムスクリーン３が上記台座５から大きく離れた位置に配置されるため，映像が映し出されたときの不思議感が増し，外観意匠性も向上する。
【００５９】
また，上記透明傾斜板部４１の下辺４１１は，上記ホログラムディスプレイ装置１を設置した床面６１から７００ｍｍ以上の高さに配置されるため，より一層，上記透過型ホログラムスクリーン３を，映像の視認しやすい高さに配置することができる。
【００６０】
また，上記透明傾斜板部４１の上辺４１２は，ホログラムディスプレイ装置１を設置した床面６１から１３５０ｍｍ以下の高さに配置される。そのため，図２に示すごとく，上記ホログラムディスプレイ装置１を企業の受付やショールーム等に設置した場合に，該ホログラムディスプレイ装置１が来客者の良好な前方視界を妨げることがなく，屋内の景観を損なうおそれがない。
【００６１】
即ち，日本人の成人の目線高さは，１３５０〜１６６０ｍｍがその９０％を占めるという統計があるため，透明傾斜板部４１の上辺４１２の床面６１からの高さを１３５０ｍｍ以下とすることにより，殆どの日本人の成人の前方視界を遮ることがないこととなる（図２，図４参照）。
【００６２】
また，上記透過型ホログラムスクリーン３は，水平面に対する傾斜角度θが１５〜５０°であり，かつ，入射する映像光２１の投射角度が２０〜５０°である。そのため，図４に示すごとく，一層０次光２１０を観察者Ｅの目に入り難くすると共に正確な映像を映し出すことができ，かつ，映像を観察しやすいホログラムディスプレイ装置１を得ることができる。
【００６３】
上記透過型ホログラムスクリーン３の水平面に対する傾斜角度を１５〜５０°とするのが好ましい理由としては，上記投射角度範囲，及び上記透明傾斜板部４１の上辺４１２及び下辺４１１の高さ範囲を踏まえつつ，日本工業規格ＪＩＳ  Ｚ  ８５１３〔人間工学−視覚表示装置を用いるオフィス作業−視覚表示装置の要求事項〕記載の映像表示装置に求められる事項を満足させる範囲であることである。即ち，スクリーンからの設計視距離は４００ｍｍ以上，観察者Ｅの視線角は水平線から下方６０°までの間，スクリーンに対する観察者Ｅの視線の角度である観視角はスクリーン面に対する法線から４０°以下が推奨される値である。
【００６４】
まず，映像光２１を真下から投射する場合に，上記投射角度範囲を満たすためには，上記傾斜角度θが５０°以下である必要がある。
次に，上記透過型ホログラムスクリーン３の下辺が下限となる状態，即ち，上記下辺が上記透明傾斜板部４１の下辺４１２の高さの下限である７００ｍｍの位置にある場合について考察する。
【００６５】
図１１に示すごとく，ホログラムディスプレイ装置１から５００ｍｍ離れた位置に立った日本人の成人の目線高さである１３５０〜１６６０ｍｍからの視線角の範囲Ａ０，Ｂ０が，水平線から６０°下方までの範囲に，透過型ホログラムスクリーン３が入る必要がある。更に，上記目線高さからの透過型ホログラムスクリーン３の観視角Ａ１，Ａ２，Ｂ１，Ｂ２が４０°以下となる必要がある。
図１１において，符号Ｅ１は目線高さ１６６０ｍｍの目線を示し，符号Ｅ２は目線高さ１３５０ｍｍの目線を示す。
【００６６】
これらの条件を満足する上記透過型ホログラムスクリーン３の傾斜角度θは，１５°以上ということとなる。
なお，上記透過型ホログラムスクリーン３の下辺の下限が７００ｍｍよりも高くなると，上記の条件を満たす傾斜角度θの下限は，１５°より大きくなる。
【００６７】
また，上記支持体４は，全体が透明な基材によって形成されているため，上記ホログラムディスプレイ装置１が背景を遮る範囲をより少なくすることができる。また，上記支持体４全体が透明であるために，より外観意匠性に優れたホログラムディスプレイ装置１を得ることができる。
【００６８】
また，図１に示すごとく，上記台座５は上記カバー５２を設けてなるため，上記台座５に載置した機器が外観上見えなくなり，ホログラムディスプレイ装置１の外観意匠性を一層向上させることができる。また，上記カバー５２は上記開口窓５２１を有するため，映像光２１を確実に透過型ホログラムスクリーン３に投射することができ，映像を確実に映し出すことができる。
【００６９】
また，上記カバー５２は，上記開口窓５２１を覆う透明部材５２２を配設してなるため，上記開口窓５２１からカバー５２の内部に埃等が入ることを防ぐことができる。それ故，映像投射装置２の投射レンズ２２や表面鏡１１等に埃等が付着することを防ぎ，映像品位や映像輝度の低下を防ぐことができる。
【００７０】
また，上記カバー５２は，上記冷却ファン５３を配設してなるため，上記映像投射装置２の冷却を充分に行うことができ，該映像投射装置２の耐久性を確保することができ，ひいては，ホログラムディスプレイ装置１の耐久性を確保することができる。また，上記冷却ファン５３は，カバー５２の内側から外側へ空気を排出するため，冷却ファン５３の部分からカバー５２の内部に埃等が入り込むことを防ぐこともできる。
【００７１】
また，上記台座５には上記センサー１２が配置され，該センサー１２が，図４に示すごとく，所定の位置Ｄに観察者Ｅを感知したとき，表示する映像を切り替えるよう構成してある。これにより，適宜状況に応じた映像を観察者Ｅに提供することができるホログラムディスプレイ装置１を得ることができる。
【００７２】
以上のごとく，本例によれば，奥行きが小さく，設置箇所の変更が容易であり，外観意匠性に優れ，かつ観察者の目に０次光が入り難いホログラムディスプレイ装置を提供することができる。
【００７３】
（実施例２）
本例は，図１２に示すごとく，台座５の下側に，移動用の台車５４を取付けたホログラムディスプレイ装置１の例である。
その他は，実施例１と同様である。
この場合には，ホログラムディスプレイ装置１の設置箇所の変更を，一層容易に行うことができる。
また，例えば，営業時間中は店舗の外で情報告知し，営業終了時には店舗内に移動し，保管するといった使用方法も容易に行うことができる。
その他，実施例１と同様の作用効果を奏する。
【００７４】
（実施例３）
本例は，図１３に示すごとく，透過型ホログラムスクリーン３を２枚の支持体４によって挟持して構成したホログラムディスプレイ装置１の例である。
即ち，略同形状の支持体４を重ねあわせ，それらの透明傾斜板部４１の間に上記透過型ホログラムスクリーン３を挟み込むと共に封止材等を用いて封入する。
その他は，実施例１と同様である。
【００７５】
この場合には，観察者等が透過型ホログラムスクリーン３に触れることができないようにし，該透過型ホログラムスクリーン３が支持体４から剥がれたり，傷が付いたりすることを防止することができる。
その他，実施例１と同様の作用効果を奏する。
【００７６】
【図面の簡単な説明】
【図１】実施例１における，ホログラムディスプレイ装置の縦断面説明図。
【図２】実施例１における，ホログラムディスプレイ装置の使用状況の斜視説明図。
【図３】実施例１における，台座に載置した機器の平面配置説明図。
【図４】実施例１における，センサーによる観察者の感知の説明図。
【図５】実施例１における，観察者を感知しないときに映し出されている映像の説明図。
【図６】実施例１における，観察者を感知したときに映し出される映像の説明図。
【図７】実施例１における，透過型ホログラムスクリーンの製作方法の説明図。
【図８】透過型ホログラムスクリーンを垂直に配置した場合に生ずる問題点の説明図。
【図９】透過型ホログラムスクリーンを傾斜させることによる利点の説明図。
【図１０】実施例１における，透過型ホログラムスクリーンと映像投射装置と表面鏡との位置関係を示す説明図。
【図１１】実施例１における，透明傾斜板部の傾斜角度の下限値の説明図。
【図１２】実施例２における，ホログラムディスプレイ装置の縦断面説明図。
【図１３】実施例３における，ホログラムディスプレイ装置の縦断面説明図。
【図１４】従来例における，ホログラムディスプレイ装置の説明図。
【図１５】他の従来例における，一体型ディスプレイ装置の斜視図。
【図１６】他の従来例における，一体型ディスプレイ装置の側方から見た説明図。
【符号の説明】
１．．．ホログラムディスプレイ装置，
１１．．．表面鏡，
２．．．映像投射装置，
２１．．．映像光，
３．．．透過型ホログラムスクリーン，
４．．．支持体，
４１．．．透明傾斜板部，
５．．．台座，
【図１】
2005010226.tif 000003
【図２】
2005010226.tif 000004
【図３】
2005010226.tif 000005
【図４】
2005010226.tif 000006
【図５】
2005010226.tif 000007
【図６】
2005010226.tif 000008
【図７】
2005010226.tif 000009
【図８】
2005010226.tif 000010
【図９】
2005010226.tif 000011
【図１０】
2005010226.tif 000012
【図１１】
2005010226.tif 000013
【図１２】
2005010226.tif 000014
【図１３】
2005010226.tif 000015
【図１４】
2005010226.tif 000016
【図１５】
2005010226.tif 000017
【図１６】
2005010226.tif 000018